(57)【要約】【課題】コスト増を抑制することができる紙幣処理装置の提供。【解決手段】紙幣を集積してなる紙幣ブロックが、紙幣ブロックの集積方向両外側の少なくとも一方に配置された仕切シートと共にセットされる取込部１２と、取込部１２で取り込まれた紙幣および仕切シートを識別する識別部２２と、識別部２２で正常紙幣と識別された紙幣を集積させる集積部１４と、識別部２２で正常紙幣以外と識別されたリジェクト紙幣および仕切シートを排除するリジェクト部１３と、識別部２２の識別結果に基づいて仕切シートで割り出される紙幣ブロック毎の識別結果情報を取得する制御部３２とを有し、仕切シートとして処理対象の紙幣の発行国とは異なる発行国の異国紙幣を使用可能であり、識別部２２は、異国紙幣に付された記番号を読み取り可能であって、制御部３２は、識別部２２で読み取った異国紙幣の記番号に基づいて紙幣ブロックを認識する。【選択図】図１
2016224844.tif 000002
【特許請求の範囲】
【請求項１】
紙幣を集積してなる紙幣ブロックが、該紙幣ブロックの集積方向両外側の少なくとも一方に配置された仕切シートと共にセットされる取込部と、
前記取込部で取り込まれた紙幣および仕切シートを識別する識別部と、
前記識別部で正常紙幣と識別された紙幣を集積させる集積部と、
前記識別部で正常紙幣以外と識別されたリジェクト紙幣および仕切シートを排除するリジェクト部と、
前記識別部の識別結果に基づいて仕切シートで割り出される紙幣ブロック毎の識別結果情報を取得する制御部と、を有する紙幣処理装置であって、
正常紙幣と識別される紙幣の発行国とは異なる発行国の異国紙幣を仕切シートとして使用可能であり、
前記識別部は、異国紙幣に付された記番号を読み取り可能であって、
前記制御部は、前記識別部で読み取った異国紙幣の記番号に基づいて紙幣ブロックを認識することを特徴とする紙幣処理装置。
【請求項２】
記番号と該記番号に対応する合計金額とが入力される入力手段と、
前記入力手段に入力された対応する記番号および合計金額を関連付けて記憶する記憶部と、を有し、
前記制御部は、前記識別部で読み取った異国紙幣の記番号に対応する紙幣ブロックの合計金額を、前記識別部の識別結果に基づいて取得して、当該記番号と一致して前記記憶部に記憶された記番号に対応する合計金額と照合することを特徴とする請求項１記載の紙幣処理装置。
【請求項３】
前記入力手段への入力者が許可された入力者であるか否かを判別する判別部を有し、
前記判別部の判別結果から入力者が許可された入力者である場合に限り、前記入力手段に入力された対応する記番号および合計金額を関連付けて前記記憶部に記憶することを特徴とする請求項２記載の紙幣処理装置。
【請求項４】
前記集積部が複数設けられており、前記制御部は、正常紙幣と識別された紙幣を、紙幣ブロック毎に個別の前記集積部に集積させることを特徴とする請求項１乃至３のいずれか一項記載の紙幣処理装置。
【請求項５】
異国紙幣は、対応する紙幣ブロックの少なくとも前記取込部による取り込み方向前側に配置され、
前記制御部は、紙幣ブロックの前記取り込み方向前側の異国紙幣の記番号を前記識別部が読み取れなかった場合に、当該異国紙幣およびこれに対応する紙幣ブロックの紙幣をすべて前記リジェクト部に搬送することを特徴とする請求項１乃至４のいずれか一項記載の紙幣処理装置。
【請求項６】
前記制御部は、複数の紙幣ブロックの紙幣を連続的に識別する一の識別処理で、紙幣ブロックの前記取り込み方向前側の異国紙幣の記番号を前記識別部が読み取れなかった場合に、当該異国紙幣およびこれに対応する紙幣ブロックの紙幣をすべて前記リジェクト部に搬送するとともに、前記一の識別処理後の再処理で、異国紙幣の記番号を前記識別部が読み取ると、当該記番号に対応する紙幣ブロックの前記識別部による識別結果を加えて、前記一の識別処理の識別結果を補正することを特徴とする請求項５記載の紙幣処理装置。
【発明の詳細な説明】
【技術分野】
【０００１】
本発明は、紙幣処理装置に関する。
【背景技術】
【０００２】
通貨処理機において、セパレータカードが通貨山間に配置された複数の通貨山からなる通貨バッチがセットされ、通貨バッチ状態でセットされた通貨を連続的に取り込んで計数するものがある（例えば、特許文献１参照）。この通貨処理機では、セパレータカードで通貨山を認識するようになっている。
【先行技術文献】
【特許文献】
【０００３】
【特許文献１】特表２０００−５０３９５６号公報
【発明の概要】
【発明が解決しようとする課題】
【０００４】
上記のセパレータカードは、識別の固有の記号や符号、バーコード等を印刷した専用品であり、コスト増になってしまう。
【０００５】
したがって、本発明は、コスト増を抑制することができる紙幣処理装置の提供を目的とする。
【課題を解決するための手段】
【０００６】
上記目的を達成するために、請求項１に係る発明は、紙幣を集積してなる紙幣ブロックが、該紙幣ブロックの集積方向両外側の少なくとも一方に配置された仕切シートと共にセットされる取込部と、前記取込部で取り込まれた紙幣および仕切シートを識別する識別部と、前記識別部で正常紙幣と識別された紙幣を集積させる集積部と、前記識別部で正常紙幣以外と識別されたリジェクト紙幣および仕切シートを排除するリジェクト部と、前記識別部の識別結果に基づいて仕切シートで割り出される紙幣ブロック毎の識別結果情報を取得する制御部と、を有する紙幣処理装置であって、正常紙幣と識別される紙幣の発行国とは異なる発行国の異国紙幣を仕切シートとして使用可能であり、前記識別部は、異国紙幣に付された記番号を読み取り可能であって、前記制御部は、前記識別部で読み取った異国紙幣の記番号に基づいて紙幣ブロックを認識することを特徴とする。
【０００７】
請求項２に係る発明は、請求項１に係る発明において、記番号と該記番号に対応する合計金額とが入力される入力手段と、前記入力手段に入力された対応する記番号および合計金額を関連付けて記憶する記憶部と、を有し、前記制御部は、前記識別部で読み取った異国紙幣の記番号に対応する紙幣ブロックの合計金額を、前記識別部の識別結果に基づいて取得して、当該記番号と一致して前記記憶部に記憶された記番号に対応する合計金額と照合することを特徴とする。
【０００８】
請求項３に係る発明は、請求項２に係る発明において、前記入力手段への入力者が許可された入力者であるか否かを判別する判別部を有し、前記判別部の判別結果から入力者が許可された入力者である場合に限り、前記入力手段に入力された対応する記番号および合計金額を関連付けて前記記憶部に記憶することを特徴とする。
【０００９】
請求項４に係る発明は、請求項１乃至３のいずれか一項に係る発明において、前記集積部が複数設けられており、前記制御部は、正常紙幣と識別された紙幣を、紙幣ブロック毎に個別の前記集積部に集積させることを特徴とする。
【００１０】
請求項５に係る発明は、請求項１乃至４のいずれか一項に係る発明において、異国紙幣は、対応する紙幣ブロックの少なくとも前記取込部による取り込み方向前側に配置され、前記制御部は、紙幣ブロックの前記取り込み方向前側の異国紙幣の記番号を前記識別部が読み取れなかった場合に、当該異国紙幣およびこれに対応する紙幣ブロックの紙幣をすべて前記リジェクト部に搬送することを特徴とする。
【００１１】
請求項６に係る発明は、請求項５に係る発明において、前記制御部は、複数の紙幣ブロックの紙幣を連続的に識別する一の識別処理で、紙幣ブロックの前記取り込み方向前側の異国紙幣の記番号を前記識別部が読み取れなかった場合に、当該異国紙幣およびこれに対応する紙幣ブロックの紙幣をすべて前記リジェクト部に搬送するとともに、前記一の識別処理後の再処理で、異国紙幣の記番号を前記識別部が読み取ると、当該記番号に対応する紙幣ブロックの前記識別部による識別結果を加えて、前記一の識別処理の識別結果を補正することを特徴とする。
【発明の効果】
【００１２】
請求項１に係る発明によれば、紙幣を集積してなる紙幣ブロックが、紙幣ブロックの集積方向両外側の少なくとも一方に配置された仕切シートと共に取込部にセットされることになり、この取込部で取り込まれた紙幣および仕切シートを識別部が識別する。そして、集積部が、識別部で正常紙幣と識別された紙幣を集積させる一方、リジェクト部が、正常紙幣以外と識別されたリジェクト紙幣および仕切シートを排除する。その間に、制御部は、識別部の識別結果に基づいて仕切シートで割り出される紙幣ブロック毎の識別結果情報を取得する。そして、識別部が、正常紙幣と識別される紙幣つまり紙幣処理装置の処理対象の紙幣の発行国とは異なる発行国の異国紙幣に付された記番号を読み取り可能であって、制御部は、識別部で読み取った異国紙幣の記番号に基づいて紙幣ブロックを認識することになる。つまり、異国紙幣を仕切シートとして使用することができる。したがって、紙幣ブロックを認識するためだけの専用の仕切シートを作成しなくて済むため、コスト増を抑制することができる。
【００１３】
請求項２に係る発明によれば、入力手段に、記番号とこの記番号に対応する合計金額とが入力されると、記憶部が、入力された対応する記番号および合計金額を関連付けて記憶する。そして、制御部が、識別部で読み取った異国紙幣の記番号に対応する紙幣ブロックの合計金額を、識別部の識別結果に基づいて取得して、当該記番号と一致して記憶部に記憶された記番号に対応する合計金額と照合する。これにより、実際の識別結果に基づく合計金額と、入力された伝票上の合計金額とを、互いに一致する記番号に対応する紙幣ブロックについて照合することができる。
【００１４】
請求項３に係る発明によれば、判別部が、入力手段への入力者が許可された入力者であるか否かを判別し、この判別部の判別結果から入力者が許可された入力者である場合に限り、入力手段に入力された対応する記番号および合計金額を関連付けて記憶部に記憶する。このため、許可された入力者のみに、記番号および合計金額の記憶部への記憶を行わせることができる。
【００１５】
請求項４に係る発明によれば、制御部は、識別部で正常紙幣と識別された紙幣を、紙幣ブロック毎に個別の集積部に集積させることになるため、識別部で識別後の正常紙幣を紙幣ブロック毎に取り出すことが容易にできる。
【００１６】
請求項５に係る発明によれば、制御部は、紙幣ブロックの取込部による取り込み方向前側に配置された異国紙幣の記番号を識別部が読み取れなかった場合に、当該異国紙幣およびこれに対応する紙幣ブロックの紙幣をすべてリジェクト部に搬送する。これにより、記番号を読み取れなかった異国紙幣およびこれに対応する紙幣ブロックをリジェクト部に纏めることができる。したがって、記番号を読み取れなかった異国紙幣およびこれに対応する紙幣ブロックのその後の取り扱いが容易となる。
【００１７】
請求項６に係る発明によれば、複数の紙幣ブロックの紙幣を連続的に識別する一の識別処理で、紙幣ブロックの取込部による取り込み方向前側に配置された異国紙幣の記番号を識別部が読み取れなかった場合に、制御部は、当該異国紙幣およびこれに対応する紙幣ブロックの紙幣をすべてリジェクト部に搬送する。そして、制御部は、前記一の識別処理後の再処理で、異国紙幣の記番号を識別部が読み取ると、当該記番号に対応する紙幣ブロックの識別部による識別結果を加えて、前記一の識別処理の識別結果を補正する。したがって、一の識別処理において、記番号の読み取りが行えた異国紙幣に対応する紙幣ブロックの識別部による識別結果と、一旦は記番号の読み取りが行えず、再処理で記番号の読み取りが行えた異国紙幣に対応する紙幣ブロックの識別部による識別結果とを纏めることができる。
【図面の簡単な説明】
【００１８】
【図１】本発明の一実施形態に係る紙幣処理装置を正面側から見た概略構成図である。
【図２】本発明の一実施形態に係る紙幣処理装置で処理される紙幣を示す斜視図である。
【図３】本発明の一実施形態に係る紙幣処理装置で使用される異国紙幣を示す正面図である。
【図４】本発明の一実施形態に係る紙幣処理装置の記憶部に記憶されるデータの一例を示す図表である。
【発明を実施するための形態】
【００１９】
本発明の一実施形態に係る紙幣処理装置を図面を参照して以下に説明する。図１に示す本実施形態に係る紙幣処理装置１１は、所定の一国の各種流通紙幣を処理対象として識別処理を行うものであり、識別処理として、処理対象の紙幣Ｓを識別し金種別に計数して合計金額を算出する処理を行うものである。この紙幣処理装置１１は、例えば、売上金の伝票上の合計金額と実際の合計金額とを照合するために用いられる。
【００２０】
紙幣処理装置１１は、その右側面の下部に設けられて右側方に開口する取込部１２と、同じく右側面の上下方向中間部に設けられて右方に開口するリジェクト部１３と、取込部１２およびリジェクト部１３の左方に配置されて装置前面に開口する複数（具体的には１２カ所）の集積部１４とを有している。取込部１２には、紙幣Ｓのセットの有無を検知するセット検知センサ１５が設けられている。
【００２１】
取込部１２には、紙幣Ｓが上下方向に集積された状態でセットされることになり、取込部１２は、セットされた紙幣Ｓを最下のものから一枚ずつ分離して繰り出して紙幣処理装置１１内に取り込む。紙幣処理装置１１の内部には、取込部１２で取り込まれた紙幣Ｓを搬送する搬送部２１と、搬送部２１で搬送中の紙幣Ｓの金種等を識別しつつ計数する識別部２２とが設けられている。
【００２２】
搬送部２１は、識別部２２の識別結果に基づいて紙幣Ｓをリジェクト部１３および複数の集積部１４に択一的に振り分ける。搬送部２１は、各部を結ぶように適宜分離して配置されて紙幣Ｓを搬送する搬送路２５と、搬送路２５の各分岐位置に設けられて紙幣Ｓを振り分ける複数の振分部２６とを有している。
【００２３】
リジェクト部１３は、取込部１２で紙幣処理装置１１内に取り込まれた紙幣Ｓのうち、識別部２２で正常紙幣以外と識別されたリジェクト紙幣Ｓを紙幣処理装置１１外に取り出し可能に排除するものである。リジェクト部１３は、搬送部２１から繰り出されるリジェクト紙幣Ｓを繰り出し順（言い換えれば取込部１２の取り込み順）に下から上に集積させる。
【００２４】
複数の集積部１４は、紙幣Ｓのうち、取込部１２で紙幣処理装置１１内に取り込まれた紙幣Ｓのうち、識別部２２で正常と識別された正常紙幣Ｓを紙幣処理装置１１外に取り出し可能に集積させるものである。複数の集積部１４は、いずれも搬送部２１から繰り出された紙幣Ｓを繰り出し順（言い換えれば取込部１２の取り込み順）に下から上に集積させる。ここで、正常紙幣Ｓは、当然のことながら紙幣処理装置１１の処理対象の紙幣Ｓである。
【００２５】
紙幣処理装置１１の前面には、操作入力を受け付けるとともに情報表示を行う操作表示部３１（入力手段）が設けられている。また、紙幣処理装置１１の内部には、各部を制御する制御部３２（判別部）と、識別の基準となるマスタデータや識別計数結果のデータ等を記憶する記憶部３３とが設けられている。
【００２６】
紙幣処理装置１１は、図２に示すように、複数枚の紙幣Ｓが厚さ方向に連続的に集積されて一纏めにされた紙幣ブロックＢを、複数ブロック連続して処理可能となっている。一つの紙幣ブロックＢは、例えば口座番号単位に設定される。
【００２７】
そして、本実施形態に係る紙幣処理装置１１は、各紙幣ブロックＢの境界を判断するための仕切シートとして、紙幣ブロックＢに主として含まれることになる処理対象の紙幣Ｓの発行国とは異なる発行国の異国紙幣Ｓ１を使用可能となっている。そのため、識別部２２は、異国紙幣Ｓ１を認識可能であり、異国紙幣Ｓ１に付された記番号を読み取り可能となっている。言い換えれば、識別部２２は、取込部１２で取り込まれた紙幣Ｓおよび仕切シートである異国紙幣Ｓ１を識別する。
【００２８】
制御部３２は、識別部２２で読み取った異国紙幣Ｓ１の記番号に基づいて各紙幣ブロックＢを認識する。そして、制御部３２は、識別部２２の識別結果に基づいて、異国紙幣Ｓ１の記番号に基づき割り出される紙幣ブロックＢ毎の識別結果情報を取得する。ここで、紙幣Ｓに付された記番号は、すべての紙幣Ｓに一対一で個別に付されており、これによりすべての紙幣Ｓは、他の紙幣Ｓとの識別が可能となっている。
【００２９】
例えば、米国が発行国である米国ドル紙幣が処理対象の紙幣Ｓである場合に、日本国が発行国である円紙幣は異国紙幣Ｓ１であり、この円紙幣を、紙幣ブロックＢを区別する仕切シートとして使用可能となっている。例えば、図３に示すように、記番号Ｄとして「ＡＢ１２３４５６Ａ」が付された一万円紙幣等の円紙幣が仕切シートとして使用可能な異国紙幣Ｓ１となっている。
【００３０】
制御部３２は、上記した識別部２２で正常紙幣以外と識別されたリジェクト紙幣Ｓに加えて、仕切シートとしての異国紙幣Ｓ１をも搬送部２１でリジェクト部１３に搬送させることになる。よって、リジェクト部１３は、識別部２２で正常紙幣以外と識別されたリジェクト紙幣Ｓおよび仕切シートとしての異国紙幣Ｓ１を紙幣処理装置１１外に取り出し可能に排除することになる。
【００３１】
本実施形態に係る紙幣処理装置１１では、紙幣ブロックＢのそれぞれの集積方向両外側の一方である取込部１２の取り込み方向の前側（取込部１２へのセット状態での下側）の直前位置のみに、直後位置の紙幣ブロックＢを識別するための仕切シートとしての異国紙幣Ｓ１が配置されるようになっている。つまり、紙幣ブロックＢそれぞれの始端を識別するためのスタートカードとして異国紙幣Ｓ１が使用される。なお、これに限らず、紙幣ブロックＢそれぞれの取り込み方向の後側（取込部１２へのセット状態での上側）の直後位置のみに、直前位置の紙幣ブロックＢを識別するためのエンドカードとして異国紙幣Ｓ１が配置されるようにしても良い。あるいは、紙幣ブロックＢそれぞれの取り込み方向の前後両側に紙幣ブロックＢそれぞれの始端および終端を識別するためのスタートカードおよびエンドカードとして異国紙幣Ｓ１が配置されるようにしても良い。
【００３２】
制御部３２は、操作表示部３１の待機画面において、識別処理を行うか、入力処理を行うかの選択画面を表示させている。この選択画面に対して、入力処理を行う旨の選択操作が入力されると、制御部３２は、操作表示部３１にＩＤ情報の入力を促す表示を表示させる。この表示に対して、ＩＤカードの読み取り、ＩＤ番号の数値入力等でＩＤ情報が入力されると、制御部３２は、この入力されたＩＤ情報が、記憶部３３に予め記憶されている入力処理許可番号群の中にあるか否かを判定する。この入力されたＩＤ情報が、入力処理許可番号群の中にあれば、制御部３２は入力処理を実行する一方、入力処理許可番号群の中になければ、エラー表示を表示させた後、操作表示部３１を待機画面に戻すことになる。
【００３３】
制御部３２は、入力処理では、操作表示部３１に、仕切シートとして用いられる異国紙幣Ｓ１の記番号Ｄの入力と、この記番号Ｄに対応付けて識別処理が行われる紙幣ブロックＢの合計金額の入力と、この紙幣ブロックＢの合計金額の振り込み先の口座番号の入力とを促す表示を表示させることになる。これにより、操作者は、仕切シートとして用いるように準備された複数枚の異国紙幣Ｓ１の中から、任意にピックアップして、その記番号Ｄの入力と、この記番号Ｄに対応付けて識別処理が行われる紙幣ブロックＢの合計金額の入力と、この紙幣ブロックＢの合計金額の振り込み先の口座番号の入力とを操作表示部３１に行う。つまり、操作表示部３１には、記番号Ｄとこれに対応する合計金額とが入力される。ここで、入力される合計金額は、各紙幣ブロックＢに一対一で対応して添付された伝票に記載された合計金額であり、口座番号も同じ伝票に記載されている。
【００３４】
そして、記番号Ｄの入力と、この記番号Ｄに対応付けて識別処理が行われる紙幣ブロックＢの合計金額の入力と、この紙幣ブロックＢの合計金額の振り込み先の口座番号の入力とが操作表示部３１に行われると、制御部３２は、この記番号Ｄに対応する紙幣ブロックＢの他の紙幣ブロックＢとの識別であるブロック識別番号と、このブロック識別番号に対応する集積部１４の他の集積部１４との識別である集積部識別番号とを設定する。集積部識別番号は、対応するブロック識別番号の紙幣ブロックＢの処理後の集積先である。記番号Ｄの入力と、この記番号Ｄに対応付けて識別処理が行われる紙幣ブロックＢの合計金額の入力と、この紙幣ブロックＢの合計金額の振り込み先の口座番号の入力とが、操作表示部３１に行われると、制御部３２は、これらの記番号Ｄ、ブロック識別番号、集積部識別番号、合計金額および口座番号と、この口座番号から割り出される口座名義人名と、を表示させる。
【００３５】
例えば、図４の上段に示すように、記番号Ｄとして「ＡＡ１００００１Ａ」が入力されると、制御部３２は、この記番号「ＡＡ１００００１Ａ」に対応するブロック識別番号として例えば「Ｂ０１」を割り当て、このブロック識別番号「Ｂ０１」に対し集積部識別番号として例えば「Ｅ０１」を割り当てる。そして、この記番号「ＡＡ１００００１Ａ」に対応付けて識別処理が行われる紙幣ブロックＢの合計金額として「８６５５ドル」が入力され、この紙幣ブロックＢの合計金額の振り込み先の口座番号として「ＡＡＡＡＡＡＡ」が入力されると、制御部３２は、記番号「ＡＡ１００００１Ａ」と、ブロック識別番号「Ｂ０２」と、集積部識別番号「Ｅ０１」と、合計金額「８６５５ドル」と、口座番号「ＡＡＡＡＡＡＡ」と、口座番号「ＡＡＡＡＡＡＡ」から割り出される口座名義人名「ＸＸＸＸＸＸＸ」とを操作表示部３１に表示させるとともに、これらの入力を確定させる確定操作の入力を促す表示を操作表示部３１に表示させる。この操作表示部３１の表示に対して確定操作が入力されると、制御部３２は、これらの情報を関連付けて記憶部３３に記憶させるとともに、次の記番号Ｄ、合計金額および口座番号の入力を行うか、入力処理を完了するかの選択操作を促す表示を操作表示部３１に表示させる。よって、記憶部３３は、操作表示部３１に入力された対応する記番号Ｄおよび合計金額を関連付けて記憶する。
【００３６】
次の記番号Ｄ、合計金額および口座番号の入力を行う選択操作が操作表示部３１に入力されると、制御部３２は、上記と同様に、操作表示部３１に、異国紙幣Ｓ１の記番号Ｄの入力と、この記番号Ｄに対応付けて識別処理が行われる紙幣ブロックＢの合計金額の入力と、この紙幣ブロックＢの合計金額の振り込み先の口座番号の入力とを促す表示を表示させることになる。これにより、操作者は、複数枚の異国紙幣Ｓ１の中から、任意にピックアップして、その記番号Ｄの入力と、この記番号Ｄに対応付けて識別処理が行われる紙幣ブロックＢの合計金額の入力と、この紙幣ブロックＢの合計金額の振り込み先の口座番号の入力とを操作表示部３１に行う。
【００３７】
例えば、図４の中段に示すように、記番号Ｄとして「ＡＡ１１１１０１Ａ」が入力されると、制御部３２は、この記番号「ＡＡ１１１１０１Ａ」に対応するブロック識別番号として例えば「Ｂ０２」を割り当て、このブロック識別番号「Ｂ０２」に対し集積部識別番号として例えば「Ｅ０２」を割り当てる。そして、この記番号「ＡＡ１１１１０１Ａ」に対応付けて識別処理が行われる紙幣ブロックＢの合計金額として「１０２５１ドル」が入力され、この紙幣ブロックＢの合計金額の振り込み先の口座番号として「ＢＢＢＢＢＢＢ」が入力されると、制御部３２は、記番号「ＡＡ１１１１０１Ａ」と、ブロック識別番号「Ｂ０２」と、集積部識別番号「Ｅ０２」と、合計金額「１０２５１ドル」と、口座番号「ＢＢＢＢＢＢＢ」と、口座番号「ＢＢＢＢＢＢＢ」から割り出される口座名義人名「ＹＹＹＹＹＹＹ」とを操作表示部３１に表示させるとともに、これらの入力を確定させる確定操作の入力を促す表示を操作表示部３１に表示させる。この操作表示部３１の表示に対して確定操作が入力されると、制御部３２は、これらの情報を関連付けて記憶部３３に記憶させるとともに、次の記番号Ｄ、合計金額および口座番号の入力を行うか、入力処理を完了するかの選択操作を促す表示を操作表示部３１に表示させる。
【００３８】
次の記番号Ｄ、合計金額および口座番号の入力を行う選択操作が操作表示部３１に入力されると、制御部３２は、上記と同様に、操作表示部３１に、異国紙幣Ｓ１の記番号Ｄの入力と、この記番号Ｄに対応付けて識別処理が行われる紙幣ブロックＢの合計金額の入力と、この紙幣ブロックＢの合計金額の振り込み先の口座番号の入力とを促す表示を表示させることになる。これにより、操作者は、複数枚の異国紙幣Ｓ１の中から、任意にピックアップして、その記番号Ｄの入力と、この記番号Ｄに対応付けて識別処理が行われる紙幣ブロックＢの合計金額の入力と、この紙幣ブロックＢの合計金額の振り込み先の口座番号の入力とを操作表示部３１に行う。
【００３９】
例えば、図４の下段に示すように、記番号Ｄとして「ＡＡ１２３４５６Ａ」が入力されると、制御部３２は、この記番号「ＡＡ１２３４５６Ａ」に対応するブロック識別番号として例えば「Ｂ０３」を割り当て、このブロック識別番号「Ｂ０３」に対し集積部識別番号として例えば「Ｅ０３」を割り当てる。そして、この記番号「ＡＡ１２３４５６Ａ」に対応付けて識別処理が行われる紙幣ブロックＢの合計金額として「１１３３３ドル」が入力され、この紙幣ブロックＢの合計金額の振り込み先の口座番号として「ＣＣＣＣＣＣＣ」が入力されると、制御部３２は、記番号「ＡＡ１２３４５６Ａ」と、ブロック識別番号「Ｂ０３」と、集積部識別番号「Ｅ０３」と、合計金額「１１３３３ドル」と、口座番号「ＣＣＣＣＣＣＣ」と、口座番号「ＣＣＣＣＣＣＣ」から割り出される口座名義人名「ＺＺＺＺＺＺＺ」とを操作表示部３１に表示させるとともに、これらの入力を確定させる確定操作の入力を促す表示を操作表示部３１に表示させる。この操作表示部３１の表示に対して確定操作が入力されると、制御部３２は、これらの情報を関連付けて記憶部３３に記憶させるとともに、次の記番号Ｄ、合計金額および口座番号の入力を行うか、入力処理を完了するかの選択操作を促す表示を操作表示部３１に表示させる。
【００４０】
操作表示部３１が行う、次の記番号Ｄ、合計金額および口座番号の入力を行うか、入力処理を完了するかの選択操作を促す表示に対して、入力処理を完了する旨の選択操作が操作表示部３１に行われると、制御部３２は、識別処理の他の識別処理との識別である識別処理番号（例えば図４に示す「処理番号０１」）を設定し、この識別処理番号に関連付けて、今回の入力処理で入力された情報を記憶部３３に記憶させる。ここで、識別処理番号は、例えば、紙幣処理装置１１の主電源のオンからオフまで初期値から昇順に設定されることになり、主電源がオフ後にオンされると、初期値に戻る。また、ブロック識別番号および集積部識別番号は、例えば、各識別処理のそれぞれに対して初期値から昇順に設定されることになる。
【００４１】
ここで、集積部識別番号のうち昇順で最初に割り当てられる「Ｅ０１」は、最も取込部１２側つまり右側の列の最上段の集積部１４を示し、集積部識別番号のうち２番目に割り当てられる「Ｅ０２」は、最も取込部１２側の列の上から２段目の集積部１４を示し、同様にして、集積部識別番号のうち５番目に割り当てられる「Ｅ０５」は、左右方向中央の列の最上段の集積部１４を示し、集積部識別番号のうち１２番目に割り当てられる「Ｅ１２」は、最も取込部１２とは反対側つまり左側の列の最下段の集積部１４を示している。
【００４２】
以上により、制御部３２は、操作表示部３１への入力者が許可された入力者であるか否かを判別し、この判別結果から入力者が許可された入力者である場合に限り、操作表示部３１に入力された対応する記番号Ｄ、合計金額および口座番号を関連付けて記憶部３３に記憶することになる。
【００４３】
識別処理を行うか、入力処理を行うかの選択画面である待機画面を操作表示部３１が表示させている状態で、この選択画面に対して、識別処理を行う旨の選択操作が入力されると、制御部３２は、上記したＩＤ情報の入力を行わせることなく、実行可能な識別処理番号を並列表示させる。そして、操作表示部３１において所定の一の識別処理番号が選択操作されると、制御部３２は、この一の識別処理番号で他と識別される一の識別処理を実行する。つまり、制御部３２は、この一の識別処理番号に関連付けて記憶部３３に記憶された、記番号Ｄ、ブロック識別番号、集積部識別番号、合計金額、口座番号および口座名義人名のすべての組を、操作表示部３１に表示させる。これと合わせて、制御部３２は、操作表示部３１に、取込部１２への紙幣Ｓのセットを促す表示を表示させる。
【００４４】
例えば、上記した入力内容を例示すれば、一の識別処理番号として「処理番号０１」が選択操作されると、制御部３２は、処理番号０１の識別処理を実行する。処理番号０１の識別処理の実行に当たって、まず、識別処理番号「処理番号０１」に関連して記憶部３３に記憶された、図４の上段に示す記番号「ＡＡ１００００１Ａ」、ブロック識別番号「Ｂ０１」、集積部識別番号「Ｅ０１」、合計金額「８６５５ドル」、口座番号「ＡＡＡＡＡＡＡ」および口座名義人名「ＸＸＸＸＸＸＸ」を読み出して操作表示部３１に表示させる。また、識別処理番号「処理番号０１」に関連して記憶部３３に記憶された、図４の中段に示す記番号「ＡＡ１１１１０１Ａ」、ブロック識別番号「Ｂ０２」、集積部識別番号「Ｅ０２」、合計金額「１０２５１ドル」、口座番号「ＢＢＢＢＢＢＢ」および口座名義人名「ＹＹＹＹＹＹＹ」を読み出して操作表示部３１に表示させる。さらに、識別処理番号「処理番号０１」に関連して記憶部３３に記憶された、図４の下段に示す記番号「ＡＡ１２３４５６Ａ」、ブロック識別番号「Ｂ０３」、集積部識別番号「Ｅ０３」、合計金額「１１３３３ドル」、口座番号「ＣＣＣＣＣＣＣ」および口座名義人名「ＺＺＺＺＺＺＺ」を記憶部３３から読み出して操作表示部３１に表示させる。
【００４５】
操作表示部３１に表示された、記番号Ｄ、ブロック識別番号、集積部識別番号、合計金額、口座番号および口座名義人名のすべての組の表示を見て、操作者は、この表示にしたがって、異国紙幣Ｓ１を対応する紙幣ブロックＢの取込部１２による取り込み方向前側に配置するようにして、取込部１２にセットする。つまり、異国紙幣Ｓ１、これに対応する紙幣ブロックＢ、別の異国紙幣Ｓ１、これに対応する別の紙幣ブロックＢ、さらに別の異国紙幣Ｓ１、これに対応するさらに別の紙幣ブロックＢ、というように集積させて、各紙幣ブロックＢのそれぞれの下側に対応する異国紙幣Ｓ１が位置するように上下に配置して、これらを取込部１２にセットする。このとき、記番号Ｄ、ブロック識別番号、集積部識別番号、合計金額、口座番号および口座名義人名のすべての組の表示の順に並べる必要はなく、異国紙幣Ｓ１が、これに対応する紙幣ブロックＢの取り込み方向の直前位置に位置するようにすれば、セットの順番は任意に設定できる。
【００４６】
上記した表示内容を例示すれば、操作者は、一例として、記番号「ＡＡ１００００１Ａ」の異国紙幣Ｓ１が最も下側となり、その上に、この異国紙幣Ｓ１に対応するブロック識別番号「Ｂ０１」の紙幣ブロックＢ、その上に、記番号「ＡＡ１１１１０１Ａ」の異国紙幣Ｓ１、その上に、この異国紙幣Ｓ１に対応するブロック識別番号「Ｂ０２」の紙幣ブロックＢ、その上に、記番号「ＡＡ１２３４５６Ａ」の異国紙幣Ｓ１、その上に、この異国紙幣Ｓ１に対応するブロック識別番号「Ｂ０３」の紙幣ブロックＢを、順に重ねて、取込部１２にセットする。取込部１２に紙幣Ｓがセットされたことをセット検知センサ１５が検知すると、制御部３２は、操作表示部３１に、図４に例示する上記表示に加えて処理開始の操作指示入力を促す表示を表示させる。
【００４７】
そして、処理開始の操作指示入力が操作表示部３１に入力されると、制御部３２は、取込部１２によって最下の紙幣Ｓから紙幣処理装置１１内に取り込んで搬送部２１により搬送させる。搬送部２１で搬送中の紙幣Ｓは、まず識別部２２で識別されることになる。
【００４８】
識別部２２が第１の異国紙幣Ｓ１を検出しその第１の記番号Ｄを読み込むと、制御部３２は、この第１の記番号Ｄが記載された第１の異国紙幣Ｓ１をリジェクト部１３に搬送する。識別部２２は、この第１の記番号Ｄを読み込んだ第１の異国紙幣Ｓ１に続く紙幣Ｓをこの第１の記番号Ｄに対応する第１の紙幣ブロックＢを構成する紙幣Ｓとして、順次識別する。制御部３２は、第１の紙幣ブロックＢを構成する紙幣Ｓのうち、識別部２２の識別結果から正常紙幣と識別された紙幣Ｓをこの第１の紙幣ブロックＢに対応する第１の集積部１４に集積させることになり、正常紙幣以外と識別されたリジェクト紙幣Ｓをリジェクト部１３に搬送する。
【００４９】
識別部２２が、第１の異国紙幣Ｓ１の次の第２の異国紙幣Ｓ１を検出しその第２の記番号Ｄを読み込むと、制御部３２は、第１の紙幣ブロックＢを構成する紙幣Ｓの識別が終了したと判断するとともに、この第２の記番号Ｄが記載された第２の異国紙幣Ｓ１をリジェクト部１３に搬送する。識別部２２は、この第２の記番号Ｄを読み込んだ第２の異国紙幣Ｓ１に続く紙幣Ｓをこの第２の記番号Ｄに対応する第２の紙幣ブロックＢを構成する紙幣Ｓとして、順次識別する。制御部３２は、第２の紙幣ブロックＢを構成する紙幣Ｓのうち、識別部２２の識別結果から正常紙幣と識別された紙幣Ｓをこの第２の記番号Ｄに対応する第２の集積部１４（第１の集積部１４とは相違）に集積させることになり、正常紙幣以外と識別されたリジェクト紙幣Ｓをリジェクト部１３に搬送する。このような処理を、取込部１２にセットされた全ての紙幣Ｓについて行う。つまり、制御部３２は、正常紙幣と識別された紙幣Ｓを金種別に計数しつつ、紙幣ブロックＢ毎に個別の集積部１４に集積させる。
【００５０】
例えば、上記した表示内容を例示すれば、識別部２２が異国紙幣Ｓ１を検出しその記番号「ＡＡ１００００１Ａ」を読み取ると、制御部３２は、この記番号「ＡＡ１００００１Ａ」の異国紙幣Ｓ１をリジェクト部１３に搬送する。また、制御部３２は、この記番号「ＡＡ１００００１Ａ」の異国紙幣Ｓ１に続く紙幣Ｓであって次の異国紙幣Ｓ１が検出される直前までの紙幣Ｓをすべてブロック識別番号「Ｂ０１」の紙幣ブロックＢを構成する紙幣Ｓと認識し、これら紙幣Ｓのうちの正常紙幣と識別された紙幣Ｓを対応する集積部識別番号「Ｅ０１」の集積部１４に集積させることになり、正常紙幣以外と識別された紙幣Ｓをリジェクト部１３に繰り出す。
【００５１】
上記した記番号「ＡＡ１００００１Ａ」の異国紙幣Ｓ１の次に、識別部２２が異国紙幣Ｓ１を検出しその記番号「ＡＡ１１１１０１Ａ」を読み取ると、制御部３２は、ブロック識別番号「Ｂ０１」の紙幣ブロックＢを構成する紙幣Ｓの識別が終了したと判断するとともに、この記番号「ＡＡ１１１１０１Ａ」の異国紙幣Ｓ１をリジェクト部１３に搬送する。また、制御部３２は、この記番号「ＡＡ１１１１０１Ａ」の異国紙幣Ｓ１に続く紙幣Ｓであって次の異国紙幣Ｓ１が検出される直前までの紙幣Ｓをすべてブロック識別番号「Ｂ０２」の紙幣ブロックＢを構成する紙幣Ｓと認識し、これら紙幣Ｓのうちの正常紙幣と識別された紙幣Ｓを対応する集積部識別番号「Ｅ０２」の集積部１４に集積させることになり、正常紙幣以外と識別された紙幣Ｓをリジェクト部１３に繰り出す。
【００５２】
上記した記番号「ＡＡ１１１１０１Ａ」の異国紙幣Ｓ１の次に、識別部２２が異国紙幣Ｓ１を検出しその記番号「ＡＡ１２３４５６Ａ」を読み取ると、制御部３２は、ブロック識別番号「Ｂ０２」の紙幣ブロックＢを構成する紙幣Ｓの識別が終了したと判断するとともに、この記番号「ＡＡ１２３４５６Ａ」の異国紙幣Ｓ１をリジェクト部１３に搬送する。また、制御部３２は、この記番号「ＡＡ１２３４５６Ａ」の異国紙幣Ｓ１に続く紙幣Ｓであってセット検知センサ１５が紙幣なしを検出するまでの紙幣Ｓをすべてブロック識別番号「Ｂ０３」の紙幣ブロックＢを構成する紙幣Ｓと認識し、これら紙幣Ｓのうちの正常紙幣と識別された紙幣Ｓを対応する集積部識別番号「Ｅ０３」の集積部１４に集積させることになり、正常紙幣以外と識別された紙幣Ｓをリジェクト部１３に繰り出す。
【００５３】
そして、取込部１２に紙幣がなくなったことをセット検知センサ１５が検知すると、制御部３２は、上記した一の識別処理番号を有する一の識別処理に関連するすべての紙幣ブロックＢの紙幣Ｓを識別し、すべての正常紙幣を計数したと判定して、各紙幣ブロックＢ毎に、識別部２２の識別に基づく合計金額と、予め入力されて記憶部３３に記憶された伝票上の合計金額とを照合し、照合結果を操作表示部３１に表示させる。つまり、制御部３２は、紙幣ブロックＢ毎に、識別部２２の識別計数結果に基づく合計金額と、予め入力されて記憶部３３に記憶された伝票上の合計金額とが一致するか否かを判定した後、紙幣ブロックＢ毎に、識別部２２の識別計数結果に基づく合計金額と、伝票上の合計金額と、これらの合計金額が一致するか否かと、異国紙幣Ｓ１の記番号Ｄと、集積先の集積部識別番号とを、操作表示部３１に表示させて、一の識別処理を終了する。言い換えれば、制御部３２は、識別部２２で読み取った異国紙幣Ｓ１の記番号Ｄに対応する紙幣ブロックＢの合計金額を、識別部２２の識別結果に基づいて取得して、当該記番号Ｄと一致して記憶部３３に記憶された記番号Ｄに対応する合計金額と照合し、照合結果を操作表示部３１に表示させる。
【００５４】
作業者は、操作表示部３１に表示された照合結果に基づき、例えば、図示略のオンライン端末を用いて、各紙幣ブロックＢの伝票上の金額を、それぞれ対応する口座番号の口座に入金する操作を行うことになる。勿論、操作表示部３１への承認操作を伴って制御部３２が各紙幣ブロックＢの伝票上の金額を、それぞれ対応する口座番号の口座に入金することも可能である。
【００５５】
例えば、上記した表示内容を例示すれば、制御部３２は、記番号「ＡＡ１００００１Ａ」に関連するブロック識別番号「Ｂ０１」の紙幣ブロックＢを構成する紙幣Ｓのうちの識別部２２で正常紙幣と識別された紙幣Ｓの識別部２２の識別計数結果に基づく合計金額と、記番号「ＡＡ１００００１Ａ」に関連して記憶部３３に記憶された伝票上の合計金額とが一致するか否かを判定する。例えば、識別部２２の識別計数結果に基づく合計金額が「８６５５ドル」である場合、記憶部３３に記憶された伝票上の合計金額「８６５５ドル」と一致するため、制御部３２は、識別計数結果の「８６５５ドル」と、伝票上の合計金額「８６５５ドル」と、これらが一致する旨と、記番号「ＡＡ１００００１Ａ」と、集積先の集積部識別番号である「Ｅ０１」とを操作表示部３１に表示させる。
【００５６】
また、制御部３２は、記番号「ＡＡ１１１１０１Ａ」に関連するブロック識別番号「Ｂ０２」の紙幣ブロックＢを構成する紙幣Ｓのうちの識別部２２で正常紙幣と識別された紙幣Ｓの識別部２２の識別計数結果に基づく合計金額と、記番号「ＡＡ１１１１０１Ａ」に関連して記憶部３３に記憶された伝票上の合計金額とが一致するか否かを判定する。例えば、識別部２２の識別計数結果に基づく合計金額が「１０２５１ドル」である場合、記憶部３３に記憶された伝票上の合計金額「１０２５１ドル」と一致するため、制御部３２は、識別計数結果の「１０２５１ドル」と、伝票上の合計金額「１０２５１ドル」と、これらが一致する旨と、記番号「ＡＡ１１１１０１Ａ」と、集積先の集積部識別番号である「Ｅ０２」とを操作表示部３１に表示させる。
【００５７】
また、制御部３２は、記番号「ＡＡ１２３４５６Ａ」に関連するブロック識別番号「Ｂ０３」の紙幣ブロックＢを構成する紙幣Ｓのうちの識別部２２で正常紙幣と識別された紙幣Ｓの識別部２２の識別計数結果に基づく合計金額と、記番号「ＡＡ１２３４５６Ａ」に関連して記憶部３３に記憶された伝票上の合計金額とが一致するか否かを判定する。例えば、識別部２２の識別計数結果に基づく合計金額が「１１３３２ドル」である場合、記憶部３３に記憶された伝票上の合計金額「１１３３３ドル」と一致しないため、制御部３２は、識別計数結果の「１１３３２ドル」と、伝票上の合計金額「１１３３３ドル」と、これらが不一致である旨と、記番号「ＡＡ１２３４５６Ａ」と、集積先の集積部識別番号である「Ｅ０３」とを操作表示部３１に表示させる。
【００５８】
ここで、リジェクト部１３には、異国紙幣Ｓ１とリジェクト紙幣Ｓとが下から順に集積されており、操作者は、記番号「ＡＡ１２３４５６Ａ」の異国紙幣Ｓ１の上にリジェクト紙幣Ｓがあるか否かを目視確認する。そして、リジェクト紙幣Ｓがある場合、これを目視確認して正常な１ドル紙幣である場合、紙幣ブロックＢの現物の合計金額と、伝票上の合計金額とが一致すると判断することになる。
【００５９】
上記の識別処理中に、識別部２２が異国紙幣Ｓ１を検出するものの、その記番号Ｄを読み取ることができなかった場合に、制御部３２は、この異国紙幣Ｓ１と、これに対応する紙幣ブロックＢの紙幣をすべてリジェクト部１３に搬送する。つまり、記番号Ｄを読み取ることができなかった異国紙幣Ｓ１と、次に識別部２２で検出される異国紙幣Ｓ１までの間の紙幣をすべてリジェクト部１３に搬送する。
【００６０】
一の識別処理番号を有する一の識別処理に関連する紙幣Ｓが取込部１２になくなったことをセット検知センサ１５が検知すると、制御部３２は、一の識別処理番号を有する一の識別処理を終了する。このとき、上記のようにリジェクト部１３に搬送された、記番号Ｄを読み取ることができなかった異国紙幣Ｓ１と、これに対応する紙幣ブロックＢの紙幣Ｓとがある場合、制御部３２は、取込部１２への再セットを促す表示を表示させる。すると、操作者は、紙幣ブロックＢの紙幣Ｓとこれに隣り合う下側の異国紙幣Ｓ１とを取り出して、これらを、異国紙幣Ｓ１を下側に紙幣ブロックＢが上側に位置する姿勢で、取込部１２にセットする。取込部１２に紙幣Ｓがセットされたことをセット検知センサ１５が検知すると、制御部３２は、操作表示部３１に、上記表示に加えて再処理開始の操作指示入力を促す表示を表示させる。
【００６１】
再処理開始の操作指示入力が操作表示部３１に入力されると、制御部３２は、一旦終了した一の識別処理番号を有する一の識別処理を再開させる。取込部１２によって最下の紙幣Ｓから紙幣処理装置１１内に取り込んで搬送部２１により搬送させる。そして、識別部２２が異国紙幣Ｓ１を検出しその記番号Ｄを読み込むと、制御部３２は、この記番号Ｄが記載された異国紙幣Ｓ１をリジェクト部１３に搬送する。識別部２２は、この記番号Ｄを読み込んだ異国紙幣Ｓ１に続く紙幣Ｓをこの記番号Ｄに対応する紙幣ブロックＢを構成する紙幣Ｓとして、順次識別する。制御部３２は、紙幣ブロックＢを構成する紙幣Ｓのうち、識別部２２の識別結果から正常紙幣と識別された紙幣Ｓをこの記番号Ｄに対応する集積部１４に集積させることになり、正常紙幣以外と識別されたリジェクト紙幣Ｓをリジェクト部１３に搬送する。
【００６２】
そして、取込部１２に紙幣がなくなったことをセット検知センサ１５が検知すると、制御部３２は、上記した一の識別処理番号を有する一の識別処理に関連するすべての紙幣ブロックＢの紙幣Ｓを識別し計数したと判定し、各紙幣ブロックＢ毎に、識別部２２の識別に基づく合計金額と、予め入力されて記憶部３３に記憶された伝票上の合計金額とを照合し、照合結果を操作表示部３１に表示させて一の識別処理を再度終了する。つまり、制御部３２は、複数の紙幣ブロックＢの紙幣Ｓを連続的に識別する一の識別処理で、紙幣ブロックＢの取り込み方向前側の異国紙幣Ｓ１の記番号Ｄを識別部２２が読み取れなかった場合に、当該異国紙幣Ｓ１およびこれに対応する紙幣ブロックＢの紙幣Ｓをすべてリジェクト部１３に搬送するとともに、一の識別処理後の再処理で、異国紙幣Ｓ１の記番号Ｄを識別部２２が読み取ると、この記番号Ｄに対応する紙幣ブロックＢの識別部２２による識別結果を加えて、一の識別処理の識別結果を補正する。
【００６３】
以上に述べた本実施形態に係る紙幣処理装置１１に係る発明によれば、識別部２２によって正常紙幣と識別される処理対象の紙幣Ｓの発行国とは異なる発行国の異国紙幣Ｓ１を仕切シートとして使用可能である。そして、処理対象の紙幣Ｓを集積してなる紙幣ブロックＢが、紙幣ブロックＢの集積方向両外側の少なくとも一方に配置された異国紙幣Ｓ１と共に取込部１２にセットされることになり、この取込部１２で取り込まれた処理対象の紙幣Ｓおよび異国紙幣Ｓ１を識別部２２が識別する。識別部２２は、異国紙幣Ｓ１に付された記番号Ｄを読み取り可能であって、制御部３２は、識別部２２で読み取った異国紙幣Ｓ１の記番号Ｄに基づいて紙幣ブロックＢを認識する。そして、集積部１４が、識別部２２で正常紙幣と識別された紙幣Ｓを集積させる一方、リジェクト部１３が、正常紙幣以外と識別されたリジェクト紙幣Ｓおよび異国紙幣Ｓ１を排除する。その間に、制御部３２は、識別部２２の識別結果に基づいて異国紙幣Ｓ１で割り出される紙幣ブロックＢ毎の識別結果情報を取得する。つまり、異国紙幣Ｓ１を仕切シートとして使用することができる。したがって、紙幣ブロックＢを認識するためだけの専用の仕切シートを作成しなくて済むため、コスト増を抑制することができる。
【００６４】
また、操作表示部３１に、記番号Ｄとこの記番号Ｄに対応する合計金額とが入力されると、記憶部３３が、入力された対応する記番号Ｄおよび合計金額を関連付けて記憶する。そして、制御部３２が、識別部２２で読み取った異国紙幣Ｓ１の記番号Ｄに対応する紙幣ブロックＢの合計金額を、識別部２２の識別結果に基づいて取得して、当該記番号Ｄと一致して記憶部３３に記憶された記番号Ｄに対応する合計金額と照合する。これにより、実際の識別結果に基づく合計金額と、入力された伝票上の合計金額とを、互いに一致する記番号Ｄに対応する紙幣ブロックＢについて照合することができる。
【００６５】
また、制御部３２が、操作表示部３１への入力者が許可された入力者であるか否かを判別し、この制御部３２の判別結果から入力者が許可された入力者である場合に限り、操作表示部３１に入力された対応する記番号Ｄおよび合計金額を関連付けて記憶部３３に記憶する。このため、許可された入力者のみに、記番号Ｄおよび合計金額の記憶部３３への記憶を行わせることができる。他方、制御部３２は、いずれの操作者であっても、識別処理を実行可能とするため、識別処理の実行時には、面倒な操作者識別が不要となる。つまり、入力処理作業と識別処理作業とを各作業に応じた作業者で分担することができ、作業効率が良い。
【００６６】
また、制御部３２は、識別部２２で正常紙幣と識別された紙幣Ｓを、紙幣ブロックＢ毎に個別の集積部１４に集積させることになるため、識別部２２で識別後の正常紙幣を紙幣ブロックＢ毎に取り出すことが容易にできる。加えて、ジャムが発生して搬送部２１が停止した場合でも、どの集積部１４に向けた紙幣Ｓのジャムであるのか、つまりどの紙幣ブロックＢの紙幣Ｓのジャムであるのかが明確となる。したがって、ジャムからの復旧作業が容易となる。
【００６７】
また、制御部３２は、紙幣ブロックＢの取り込み方向前側に配置された異国紙幣Ｓ１の記番号Ｄを識別部２２が読み取れなかった場合に、当該異国紙幣Ｓ１およびこれに対応する紙幣ブロックＢの紙幣Ｓをすべてリジェクト部１３に搬送する。これにより、記番号Ｄを読み取れなかった異国紙幣Ｓ１およびこれに対応する紙幣ブロックＢの紙幣Ｓをリジェクト部１３に纏めることができる。したがって、記番号Ｄを読み取れなかった異国紙幣Ｓ１およびこれに対応する紙幣ブロックＢの紙幣Ｓのその後の取り扱いが容易となる。
【００６８】
また、複数の紙幣ブロックＢの紙幣Ｓを連続的に識別する一の識別処理で、紙幣ブロックＢの取り込み方向前側に配置された異国紙幣Ｓ１の記番号Ｄを識別部２２が読み取れなかった場合に、制御部３２は、当該異国紙幣Ｓ１およびこれに対応する紙幣ブロックＢの紙幣Ｓをすべてリジェクト部１３に搬送する。そして、制御部３２は、前記一の識別処理後の再処理で、異国紙幣の記番号Ｄを識別部２２が読み取ると、当該記番号Ｄに対応する紙幣ブロックＢの識別部２２による識別結果を加えて、前記一の識別処理の識別結果を補正する。したがって、一の識別処理において、記番号Ｄの読み取りが行えた異国紙幣Ｓ１に対応する紙幣ブロックＢの識別部２２による識別結果と、一旦は記番号Ｄの読み取りが行えず、再処理で記番号Ｄの読み取りが行えた異国紙幣Ｓ１に対応する紙幣ブロックＢの識別部２２による識別結果とを纏めることができる。
【符号の説明】
【００６９】
１１  紙幣処理装置
１２  取込部
１３  リジェクト部
１４  集積部
２１  搬送部
２２  識別部
３１  操作表示部（入力手段）
３２  制御部（判別部）
３３  記憶部
Ｂ  紙幣ブロック
Ｓ  紙幣
Ｓ１ 異国紙幣（仕切シート）
【図１】
2016224844.tif 000003
【図２】
2016224844.tif 000004
【図３】
2016224844.tif 000005
【図４】
2016224844.tif 000006